(57)【要約】      （修正有）【課題】低コスト化を図りつつ高画質化を実現することが可能な液晶表示装置を提供する。【解決手段】バックライト駆動部が、液晶表示パネルにおける上部表示領域内の各画素に対して線順次書き込み駆動を行っているときには、下部照射領域から選択的に光が照射されるように点灯起動を行う。一方、液晶表示パネルにおける表示領域のうちの下部表示領域内の各画素に対して線順次書き込み駆動を行っているときには、上部照射領域から選択的に光が照射されるように点灯起動を行う。また、バックライトにおいて、上部照射領域におけるオン期間Ｔonと下部照射領域におけるオン期間Ｔonとの位相差φが、９０°以上かつ１５０°以下となっているようにする。表示画面全体において、動画ぼやけがバランス良く改善される。【選択図】図６
2011145395.tif 000002
【特許請求の範囲】
【請求項１】
光源部と、
複数の画素を含んで構成され、前記光源部から照射される光を映像信号に基づいて変調することにより映像表示を行う液晶表示パネルと、
前記光源部に対する点灯駆動と、前記液晶表示パネル内の各画素に対する前記映像信号の線順次書き込み駆動とをそれぞれ行う駆動部と
を備え、
前記駆動部は、
前記液晶表示パネルにおける表示領域のうちの上部表示領域内の各画素に対して前記線順次書き込み駆動を行っているときには、前記光源部における照射領域のうちの下部照射領域から選択的に光が照射されると共に、
前記表示領域のうちの下部表示領域内の各画素に対して前記線順次書き込み駆動を行っているときには、前記照射領域のうちの上部照射領域から選択的に光が照射されるように、
前記点灯駆動と前記線順次書き込み駆動とを同期させて行い、
前記上部照射領域における照射期間と前記下部照射領域における照射期間との位相差が、９０°以上かつ１５０°以下となっている
液晶表示装置。
【請求項２】
前記上部照射領域および前記下部照射領域において、単位駆動周期内における照射期間の比率が、０％よりも大きく、かつ７０％以下となっている
請求項１に記載の液晶表示装置。
【請求項３】
前記光源部が、
前記照射領域を形成する導光板と、
前記導光板における前記上部照射領域側のエッジ部分に配設された上部光源と、
前記導光板における前記下部照射領域側のエッジ部分に配設された下部光源と
を含んで構成されたエッジライト型の光源部である
請求項１または請求項２に記載の液晶表示装置。
【請求項４】
前記光源部が、
前記上部照射領域内に配設された上部光源と、
前記下部照射領域内に配設された下部光源と
を含んで構成された直下型の光源部である
請求項１または請求項２に記載の液晶表示装置。
【請求項５】
前記光源部が、蛍光管または発光ダイオード（ＬＥＤ）を用いて構成されている
請求項１または請求項２に記載の液晶表示装置。
【発明の詳細な説明】
【技術分野】
【０００１】
本発明は、バックライト等の光源装置における照射領域を分割して映像表示を行う液晶表示装置に関する。
【背景技術】
【０００２】
近年、液晶ＴＶやプラズマディスプレイ（ＰＤＰ；Plasma Display Panel）に代表されるようにディスプレイの薄型化が流れとしてあり、なかでもモバイル用ディスプレイの多くは液晶系であり、忠実な色の再現性が望まれている。
【０００３】
液晶表示装置では、マトリクス状に配置された複数の画素内の各液晶素子に対し、一般には、表示画面上の上端から下端へと向けて垂直方向に線順次駆動動作（線順次書き込み動作）を行うようになっている。そして、通常は３０〜２４０Ｈｚ程度のフレーム周波数によって１画面（１フレーム）を構成している。
【０００４】
液晶表示装置における光源部（バックライト）としては、ＣＣＦＬ（Cold Cathode Fluorescent Lamp；冷陰極管）やＨＣＦＬ（Hot Cathode Fluorescent Lamp；熱陰極管）等の蛍光管、あるいは発光ダイオード（ＬＥＤ；Light Emitting Diode）を用いたものなどが提案されている。また、バックライトの構造としては、直下型とエッジライト型の２種類に大別することができる。
【０００５】
このような液晶表示装置では、液晶素子自体の応答速度の遅さと、駆動の際のホールド性とに起因して、動画ぼやけが発生しやすいことが知られている。このうち、後者に起因した動画ぼやけは、あるフレーム期間において液晶素子に映像信号を書き込んでから、次のフレーム期間の書き込みタイミングまで、その映像信号に対応する電圧レベルが保存（ホールド）されることから生じるものである。具体的には、動きの速い映像の場合に、残像としてぼやけが生じ易くなる。
【０００６】
動画ぼやけを改善する従来の手法としては、例えば直下型のバックライトにおいて、照射領域を複数に分割し、液晶素子に対する書き込み駆動と同期して順次点灯動作を行うようにしたものが提案されている（例えば、特許文献１，２参照）。また、エッジライト型のバックライトにおいても、導光板の上下２辺に光源を配置し、それぞれの光源を交互に点灯させるようにした手法も提案されている（例えば、特許文献３参照）。これらの手法では、光源において照射期間と非照射期間とを設けることにより、液晶素子に対する書き込み駆動と同期していわゆるブリンキング動作を行い、動画ぼやけを改善するようになっている。
【先行技術文献】
【特許文献】
【０００７】
【特許文献１】特開２０００−３２１９９３号公報
【特許文献２】特開２０００−３２１５５１号公報
【特許文献３】特開２００８−８３４２７号公報
【発明の概要】
【発明が解決しようとする課題】
【０００８】
ところが、上記特許文献１，２の手法では、照射領域の境界付近において、双方の照射領域からの光が混じり合ってしまうことから、この境界付近ではブリンキング動作による動画ぼやけの改善効果が薄れてしまう。このため、表示画面全体においてバランスよく動画ぼやけを改善しようとすると、照射領域ごとに仕切りとなる部材を設ける必要が生じ、部品点数増加によるコストアップとなってしまう。
【０００９】
また、上記特許文献３の手法においても、導光板の中央（表示画面の中央）付近では、上下の光源からの光が混じり合ってしまうため、やはりこの中央付近では動画ぼやけの改善効果が薄れてしまう。したがって、同様に表示画面全体においてバランスよく動画ぼやけを改善しようとすると、導光板を上下の２分割構成としたり、導光板において特殊加工を施したりする等の工夫が必要となり、結果として複雑な構造または高価な導光板を用いることから、コストアップにつながる。
【００１０】
このようにして従来の手法では、液晶表示装置において、低コスト化を図りつつ高画質化を実現するのが困難であり、改善する手法の提案が望まれていた。
【００１１】
本発明はかかる問題点に鑑みてなされたもので、その目的は、低コスト化を図りつつ高画質化を実現することが可能な液晶表示装置を提供することにある。
【課題を解決するための手段】
【００１２】
本発明の液晶表示装置は、光源部と、複数の画素を含んで構成され、光源部から照射される光を映像信号に基づいて変調することにより映像表示を行う液晶表示パネルと、光源部に対する点灯駆動と液晶表示パネル内の各画素に対する映像信号の線順次書き込み駆動とをそれぞれ行う駆動部とを備えたものである。この駆動部は、液晶表示パネルにおける表示領域のうちの上部表示領域内の各画素に対して線順次書き込み駆動を行っているときには、光源部における照射領域のうちの下部照射領域から選択的に光が照射されると共に、上記表示領域のうちの下部表示領域内の各画素に対して線順次書き込み駆動を行っているときには、上記照射領域のうちの上部照射領域から選択的に光が照射されるように、上記点灯駆動と上記線順次書き込み駆動とを同期させて行う。また、上部照射領域における照射期間と下部照射領域における照射期間との位相差は、９０°以上かつ１５０°以下となっている。
【００１３】
本発明の液晶表示装置では、上記駆動部が、上部表示領域内の各画素に対して線順次書き込み駆動を行っているときには下部照射領域から選択的に光が照射されると共に、下部表示領域内の各画素に対して線順次書き込み駆動を行っているときには上部照射領域から選択的に光が照射されるように、光源部に対する点灯駆動と液晶表示パネル内の各画素に対する線順次書き込み駆動とを同期させて行う。これにより、各画素内の液晶素子において、その応答期間（光透過率の遷移期間）の経過後に光源部から光が照射されるようになるため、液晶素子における応答速度の遅さに起因した動画ぼやけが軽減される。また、上部表示領域および下部照射領域においてそれぞれ、照射期間と非照射期間とが設けられるため、インパルス型の映像表示が実現され、その結果、液晶素子におけるホールド性の残像に起因した動画ぼやけも軽減される。この際、上部照射領域における照射期間と下部照射領域における照射期間との位相差が９０°以上かつ１５０°以下となっているため、表示画面全体（上端部、中央部および下端部のそれぞれ）において、動画ぼやけがバランス良く改善される。
【発明の効果】
【００１４】
本発明の液晶表示装置によれば、上部表示領域内の各画素に対して線順次書き込み駆動を行っているときには下部照射領域から選択的に光が照射されると共に、下部表示領域内の各画素に対して線順次書き込み駆動を行っているときには上部照射領域から選択的に光が照射されるように、光源部に対する点灯駆動と液晶表示パネル内の各画素に対する線順次書き込み駆動とを同期させて行うようにしたので、液晶素子における応答速度の遅さおよびホールド性の残像に起因した動画ぼやけをそれぞれ軽減することができる。また、上部照射領域における照射期間と下部照射領域における照射期間との位相差が９０°以上かつ１５０°以下となっているようにしたので、表示画面全体において動画ぼやけをバランス良く改善することができる。よって、光源部の構造を複雑化させることなく（従来の光源部の構造をそのまま用いつつ）、表示画面全体の動画特性を向上させることができ、低コスト化を図りつつ高画質化を実現することが可能となる。
【図面の簡単な説明】
【００１５】
【図１】本発明の一実施の形態に係る液晶表示装置の全体構成を表すブロック図である。
【図２】図１に示した画素の詳細構成例を表す回路図である。
【図３】図１に示したバックライト駆動部およびバックライトの詳細構成例を表す図である。
【図４】バックライトにおける照射領域について説明するための模式図である。
【図５】図３に示したランプ駆動信号について説明するためのタイミング波形図である。
【図６】実施の形態に係る液晶表示装置の動作を表すタイミング波形図である。
【図７】液晶素子の応答波形について説明するためのタイミング波形図である。
【図８】実施の形態に係る液晶素子の応答波形とバックライトの照射期間との関係を表すタイミング波形図である。
【図９】表示画面上の垂直方向の位置と動画ぼやけの度合いとの関係の一例を比較例と共に表す特性図である。
【図１０】上下の照射領域間での照射期間の位相差と動画ぼやけの度合いとの関係の一例を、比較例と共に表示画面上の垂直方向の位置に応じて表す特性図である。
【図１１】上下の照射領域におけるオンデューティ比と動画ぼやけの度合いとの関係の一例を表す特性図である。
【図１２】変形例に係るバックライトの概略構成および点灯動作を表す模式図およびタイミング波形図である。
【発明を実施するための形態】
【００１６】
以下、本発明の実施の形態について、図面を参照して詳細に説明する。なお、説明は以下の順序で行う。
１．実施の形態（直下型のバックライトを用いた液晶表示装置の例）
２．変形例    （エッジライト型のバックライトを用いた液晶表示装置の例）
【００１７】
＜実施の形態＞
［液晶表示装置の全体構成］
図１は、本発明の一実施の形態に係る液晶表示装置（液晶表示装置１）のブロック構成を表すものである。液晶表示装置１はいわゆる透過型の液晶表示装置であり、バックライト３（光源部）と、透過型の液晶表示パネル２とを備えている。この液晶表示装置１はまた、画像処理部４１、タイミング制御部４２、バックライト駆動部５０、データドライバ５１およびゲートドライバ５２を備えている。これらのうち、タイミング制御部４２、バックライト駆動部５０、データドライバ５１およびゲートドライバ５２が、本発明における「駆動部」の一具体例に対応している。
【００１８】
バックライト３は、液晶表示パネル２に対して光を照射する光源であり、ここでは複数の蛍光管を用いた直下型のバックライトとなっている。なお、このバックライト３の詳細構成については後述する（図３，図４）。
【００１９】
液晶表示パネル２は、後述するゲートドライバ５２から供給される駆動信号に従って、後述するデータドライバ５１から供給される映像電圧に基づいてバックライト３から照射される光を変調することにより、入力映像信号Ｄinに基づく映像表示を行うものである。この液晶表示パネル２は、全体としてマトリクス状に配列された複数の画素２０を含んでいる。
【００２０】
図２は、各画素２０内の画素回路の回路構成例を表したものである。画素２０は、液晶素子２２、ＴＦＴ（Thin Film Transistor；薄膜トランジスタ）素子２１および補助容量素子２３を有している。この画素２０には、駆動対象の画素を線順次で選択するためのゲート線Ｇと、駆動対象の画素に対して映像電圧（データドライバ５１から供給される映像電圧）を供給するためのデータ線Ｄと、補助容量線Ｃｓとが接続されている。
【００２１】
液晶素子２２は、データ線ＤからＴＦＴ素子２１を介して一端に供給される映像電圧に応じて、表示動作を行うものである。この液晶素子２２は、例えばＶＡ（Vertical Alignment）モードやＴＮ（Twisted Nematic）モードの液晶よりなる液晶層（図示せず）を、一対の電極（図示せず）で挟み込んだものである。液晶素子２２における一対の電極のうちの一方（一端）は、ＴＦＴ素子２１のドレインおよび補助容量素子２３の一端に接続され、他方（他端）は接地されている。補助容量素子２３は、液晶素子２２の蓄積電荷を安定化させるための容量素子である。この補助容量素子２３の一端は、液晶素子２２の一端およびＴＦＴ素子２１のドレインに接続され、他端は補助容量線Ｃｓに接続されている。ＴＦＴ素子２１は、液晶素子２２および補助容量素子２３の一端同士に対し、映像信号Ｄ１に基づく映像電圧を供給するためのスイッチング素子であり、ＭＯＳ−ＦＥＴ（Metal Oxide Semiconductor−Field Effect Transistor）により構成されている。このＴＦＴ素子２１のゲートはゲート線Ｇ、ソースはデータ線Ｄにそれぞれ接続されると共に、ドレインは液晶素子２２および補助容量素子２３の一端同士に接続されている。
【００２２】
画像処理部４１は、外部から入力される入力映像信号Ｄinに対して所定の画像処理（例えば、コントラスト改善処理や鮮鋭度改善処理、オーバードライブ処理など）を行い、そのような画像処理後の映像信号をタイミング制御部４２へ出力するものである。
【００２３】
タイミング制御部４２は、バックライト駆動部５０、ゲートドライバ５２およびデータドライバ５１における駆動タイミングを制御すると共に、画像処理部４１から入力される画像処理後の映像信号をデータドライバ５１へ供給するものである。具体的には、バックライト駆動部５０におけるバックライト３に対する点灯駆動と、液晶表示パネル２内の各画素２０に対する映像信号の書き込み駆動とをそれぞれ制御している。これらのうち、詳細は後述するが、バックライト駆動部５０における点灯駆動の制御は、制御信号Ｓ０ａ，Ｓ０ｂを用いて行うようになっている。
【００２４】
ゲートドライバ５２は、タイミング制御部４２によるタイミング制御に従って、液晶表示パネル２内の各画素２０に対し、前述したゲート線Ｇに沿って線順次駆動（線順次書き込み駆動）を行うものである。
【００２５】
データドライバ５１は、液晶表示パネル２の各画素２０へそれぞれ、タイミング制御部４２から供給される映像信号に基づく映像電圧を供給するものである。具体的には、この映像信号に対してＤ／Ａ（デジタル／アナログ）変換を施すことにより、アナログ信号である映像信号（上記映像電圧）を生成し、各画素２０へ出力するようになっている。
【００２６】
バックライト駆動部５０は、タイミング制御部４２によるタイミング制御に従って、バックライト３の点灯動作（発光動作）を制御するものである。すなわち、タイミング制御部４２から供給される制御信号Ｓ０ａ，Ｓ０ｂに従って、バックライト３に対する点灯駆動を行うようになっている。なお、このバックライト駆動部５０の詳細構成については後述する（図３，図５）。
【００２７】
［バックライト駆動部５０およびバックライト３の詳細構成］
図３は、バックライト駆動部５０およびバックライト３の詳細構成例をブロック図で表したものである。
【００２８】
（バックライト３）
バックライト３は、並んで配置された複数の蛍光管３１，３２（例えば、ＣＣＦＬやＨＣＦＬなど）からなる光源部を含んで構成されており、直下型のバックライトとなっている。これらの蛍光管３１，３２はそれぞれ、図示しない放電管および電極を含んで構成されている。放電管は、例えばガラス等により構成されており、その内部に、図示しない蛍光体層および放電ガス（例えば、ネオン（Ｎｅ），アルゴン（Ａｒ），水銀（Ｈｇ）など）が封入されている。これにより、電極から放電管を介して放電がなされるようになっている。
【００２９】
ここで、蛍光管３１（上部光源）は、バックライト３における照射領域（後述する照射領域３０）の上部側に配置されている一方、蛍光管３２（下部光源）はこの照射領域の下部側に配置されている。そして、蛍光管３１，３２はそれぞれ、互いに並列接続されている。
【００３０】
これにより、図４に示したように、バックライト３における照射領域３０が、蛍光管３１が配置されている上部照射領域３０１と、蛍光管３２が配置されている下部照射領域３０２との２つの照射領域に分割（分離）されている。すなわち、この照射領域３０は、上下方向（表示画面の垂直方向）に沿って、上部照射領域３０１と下部照射領域３０２とに分割されており、これにより後述するように互いに独立した分割照射（分割点灯）動作が可能となっている。ただし、このバックライト３では、これらの上部照射領域３０１および下部照射領域３０２の間に仕切りとなる部材は設けられておらず、物理的な領域分割はなされていない。
【００３１】
（バックライト駆動部５０）
バックライト駆動部５０は、図３に示したように、上部インバータ回路５０１および下部インバータ回路５０２の２つのインバータ回路を含んでいる。上部インバータ回路５０１は、タイミング制御部４２から供給される制御信号Ｓ０ａに従って、ランプ駆動信号Ｓ１によって、上部照射領域３０１内の各蛍光管３１に対する点灯駆動を行うものである。一方、下部インバータ回路５０２は、タイミング制御部４２から供給される制御信号Ｓ０ｂに従って、ランプ駆動信号Ｓ２によって、下部照射領域３０２内の各蛍光管３２に対する点灯駆動を行うものである。すなわち、これらの上部インバータ回路５０１および下部インバータ回路５０２はそれぞれ、フレーム周波数からなる制御信号Ｓ０ａ，Ｓ０ｂに基づいたランプ駆動信号Ｓ１，Ｓ２をそれぞれ生成するようになっている。
【００３２】
これらのランプ駆動信号Ｓ１，Ｓ２はそれぞれ、例えば図５に示したような電圧波形（タイミング波形）となっている。具体的には、ランプ駆動信号Ｓ１，Ｓ２は、後述する液晶表示パネル２における線順次書き込み駆動の際の１フレーム期間Ｔｆｒｍと同一（略同一）の周期（調光周期ＴＢＬ）を有している。言い換えると、ランプ駆動信号Ｓ１，Ｓ２の周波数（調光周波数）は、上記線順次書き込み駆動の際のフレーム周波数と同一（略同一）の値（約３０〜２４０Ｈｚ程度）となっている。すなわち、上部インバータ回路５０１および下部インバータ回路５０２はそれぞれ、制御信号Ｓ０ａ，Ｓ０ｂに基づいて、上記線順次書き込み駆動と同期した点灯駆動を行うようになっている。
【００３３】
また、この調光周期ＴＢＬは、インバータ動作がオン状態となる（蛍光管３１，３２が点灯状態となる）オン期間（照射期間）Ｔonと、インバータ動作がオフ状態となる（蛍光管３１，３２が消灯状態となる）オフ期間（非照射期間）Ｔoffとから構成されている。なお、詳細は後述するが、ランプ駆動信号Ｓ１におけるオン期間Ｔon（上部照射領域３０１の照射期間）と、ランプ駆動信号Ｓ２におけるオン期間Ｔon（下部照射領域３０２の照射期間）との間には、所定の位相差（後述する位相差φ）が存在するように設定されている。
【００３４】
［液晶表示装置の作用・効果］
続いて、本実施の形態の液晶表示装置１の作用および効果について説明する。
【００３５】
（１．表示動作の概要）
この液晶表示装置１では、図１に示したように、まず、画像処理部４１が入力映像信号Ｄinに対し、前述した所定の画像処理を行い、画像処理後の映像信号を生成する。この画像処理後の映像信号は、タイミング制御部４２を介してデータドライバ５１へ供給される。データドライバ５１は、この画像処理後の映像信号に対してＤ／Ａ変換を施し、アナログ信号である映像電圧を生成する。そして、ゲートドライバ５２およびデータドライバ５１から出力される各画素２０への駆動電圧により、表示駆動動作がなされる。
【００３６】
具体的には、図２に示したように、ゲートドライバ５２からゲート線Ｇを介して供給される選択信号に応じて、ＴＦＴ素子２１のオン・オフ動作が切り替えられる。これにより、データ線Ｄと液晶素子２２および補助容量素子２３との間が選択的に導通される。その結果、データドライバ５１から供給される映像電圧が液晶素子２２へと供給され、線順次の表示駆動動作（線順次書き込み駆動動作）がなされる。
【００３７】
一方、バックライト駆動部５０では、図３に示したように、上部インバータ回路５０１および下部インバータ回路５０２がそれぞれ、タイミング制御部４２から供給される制御信号Ｓ０ａ，Ｓ０ｂに基づいて、上記線順次書き込み駆動と同期した点灯駆動を行う。具体的には、図３〜図５に示したように、上部インバータ回路５０１は、制御信号Ｓ０ａに基づいてランプ駆動信号Ｓ１を生成し、このランプ駆動信号Ｓ２を用いて上部照射領域３０１内の各蛍光管３１に対する点灯駆動を行う。一方、下部インバータ回路５０２は、制御信号Ｓ０ｂに基づいてランプ駆動信号Ｓ２を生成し、このランプ駆動信号Ｓ２を用いて下部照射領域３０２内の各蛍光管３２に対する点灯駆動を行う。これにより、各蛍光管３１，３２において以下詳述する点灯動作がなされ、その結果、バックライト３から照明光が射出される。
【００３８】
そして、映像電圧が供給された画素２０では、バックライト３からの照明光が液晶表示パネル２において変調され、表示光として出射される。これにより、入力映像信号Ｄinに基づく映像表示が、液晶表示装置１において行われる。
【００３９】
（２．表示動作の詳細）
次に、図６〜図１１を参照して、本発明の特徴的部分の１つである、分割された照射領域（上部照射領域３０１および下部照射領域３０２）単位での独立した照射動作（ブリンキング動作）について詳細に説明する。
【００４０】
（２−１．ブリンキング動作の概要）
図６は、液晶表示装置１におけるブリンキング動作の概要をタイミング波形図で表したものである。この図６において、（Ａ）は、ゲートドライバ５２から各ゲート線Ｇへ出力される走査信号（１列（ライン）目から最終列（ライン）まで）を、（Ｂ）は、上部インバータ回路５０１へ供給される制御信号Ｓ０ａを、（Ｃ）は、下部インバータ回路５０２へ供給される制御信号Ｓ０ｂを、それぞれ示している。
【００４１】
まず、液晶表示パネル２内の各画素２０では、図６（Ａ）に示したように、通常は１列（水平ライン）目から最終列（水平ライン）目へと向けて（垂直方向に沿って）、すなわち、表示画面の上端から下端へと向けて、線順次書き込み駆動がなされる。この際、１画面を形成する期間（１フレーム期間Ｔｆｒｍ）に対応するフレーム周波数は、前述したように、例えば３０〜２４０Ｈｚ程度である。
【００４２】
ここで、図７（Ａ）,（Ｂ）に示したように、一般に、各画素２０内の液晶素子２２では、映像信号の電圧レベルが変化する際に、理想の応答波形と比べて実際の応答波形が遅れて変化する。すなわち、映像信号が、例えば黒表示状態の電圧（最低階調電圧）と白表示状態の電圧（最高階調電圧）との間で遷移するときに、液晶素子２２の応答が理想と比べて遅れる。このようにして液晶素子２２自体の応答速度が遅いことに起因して、動画表示の際には、動画ぼやけが発生し易くなる。
【００４３】
そこで、本実施の形態では、例えば図６（Ａ）〜（Ｃ）に示したようにして、上部照射領域３０１および下部照射領域３０２において独立した照射動作（ブリンキング動作）を行う。すなわち、バックライト駆動部５０（上部インバータ回路５０１および下部インバータ回路５０２）は、タイミング制御部４２から供給される制御信号Ｓ０ａ，Ｓ０ｂに基づいて、上記した液晶表示パネル２における線順次書き込み駆動と同期した点灯駆動を行う。
【００４４】
具体的には、バックライト駆動部５０は、まず、液晶表示パネル２における表示領域のうちの上部表示領域（図６中の上部表示期間に対応）内の各画素２０に対して線順次書き込み駆動を行っているときには、照射領域３０のうちの下部照射領域３０２から選択的に光が照射されるように、点灯起動を行う。すなわち、このときには、上部照射領域３０１に対する制御信号Ｓ０ａではオフ期間Ｔoffとなる一方、下部照射領域３０２に対する制御信号Ｓ０ｂではオン期間Ｔonとなるようにする。
【００４５】
また、バックライト駆動部５０は、液晶表示パネル２における表示領域のうちの下部表示領域（図６中の下部表示期間に対応）内の各画素２０に対して線順次書き込み駆動を行っているときには、照射領域３０のうちの上部照射領域３０１から選択的に光が照射されるように、点灯起動を行う。すなわち、このときには、上部照射領域３０１に対する制御信号Ｓ０ａではオン期間Ｔonとなる一方、下部照射領域３０２に対する制御信号Ｓ０ｂではオフ期間Ｔoffとなるようにする。
【００４６】
なお、この際、制御信号Ｓ０ａにおけるオン期間Ｔon（上部照射領域３０１の照射期間）と、制御信号Ｓ０ｂにおけるオン期間Ｔon（下部照射領域３０２の照射期間）との間には、図６中に示したように、前述した所定の位相差φが設定されている。
【００４７】
したがって、例えば図８（Ａ），（Ｂ）に示したように、映像信号が、例えば黒表示状態の電圧と白表示状態の電圧との間で遷移するときに、各画素２０内の液晶素子２２において、その応答期間（光透過率の遷移期間）の経過後に、バックライト３から光が照射されるようになる。すなわち、まず、液晶素子２２の応答期間では、その液晶素子２２を含む画素２０の表示画面上の位置に応じて、上部照射領域３０１または下部照射領域３０２がオフ期間Ｔoffに設定される。そして、その応答期間の経過後に、上部照射領域３０１または下部照射領域３０２がオン期間Ｔonに設定される。これにより、液晶素子２２における応答速度の遅さに起因した動画ぼやけが軽減される。
【００４８】
また、このようにして、液晶表示パネル２の上部表示領域および下部照射領域においてそれぞれ、バックライト３からの光の照射期間（オン期間Ｔon）と非照射期間（オフ期間Ｔoff）とが設けられるため、インパルス型の映像表示が実現される。これにより、液晶素子２２におけるホールド性の残像に起因した動画ぼやけも軽減される。
【００４９】
（２−２．照射領域における位相差およびオンデューティ比の範囲について）
ここで、図９は、液晶表示パネル２における表示画面上の垂直方向（Ｖ方向）の位置と、動画ぼやけの度合い（動画解像度）との関係の一例を、比較例と共に表したものである。この図９において、「上下２分割照射（オンデューティ比Ｄｕｔｙ（調光周期ＴＢＬ内におけるオン期間Ｔonの比率（Ｔon／ＴＢＬ））＝５０％）」と示したデータが、本実施の形態の実施例に対応しており、前述した位相差φ＝６０°，１２０°，１８０°の場合をそれぞれ示している。また、「位相差φ＝０°」の場合のデータは、分割照射がなされない場合（比較例２）のデータに対応しており、「Ｄｕｔｙ＝１００％」の場合のデータは、ブリンキング動作がなされない場合、すなわちバックライトが常時点灯している場合（比較例１）のデータに対応している。
【００５０】
また、図１０（Ｂ）は、前述した位相差φと動画ぼやけの度合いとの関係の一例を、比較例と共に表したものであり、図１０（Ａ）に示した液晶表示パネル２における表示画面上の垂直方向の位置（上端部領域２Ｕ、中央部領域２Ｃおよび下端部領域２Ｄ）に応じて示している。なお、これらの図９，図１０に示した動画ぼやけの度合いについては、複数人の観察者による主観評価実験での評価結果に基づいて得られたものである。
【００５１】
まず、図９により、分割照射がなされない比較例２では、ブリンキング動作がなされない比較例１と比べ、表示画面上の中央部では動画ぼやけの度合いが改善されているものの、表示画面上の上端部および下端部ではそれぞれ、逆に動画ぼやけの度合いが悪化していることが分かる。これは、表示画面上の中央部では、各液晶素子２２に対して線順次書き込み駆動を行っているタイミングでバックライト３が消灯しており、逆に表示画面上の上端部および下端部ではそれぞれ、線順次書き込み駆動を行っているタイミングでバックライト３から光が照射されるためである。すなわち、この比較例２では、表示画面全体（上端部、中央部および下端部のそれぞれ）において、動画ぼやけをバランス良く改善するのが困難であることが分かる。一方、実施例のうちの位相差φ＝１８０°の場合には、比較例１と比べ、逆に表示画面上の上端部および下端部ではそれぞれ、動画ぼやけの度合いが改善されているものの、表示画面上の中央部では比較例１と同等の動画ぼやけの度合いとなっており、改善効果がない。これは、上部照射領域３０１および下部照射領域３０２の境界付近に対応する表示画面上の中央部では、双方の照射領域からの光が混じり合ってしまい、ブリンキング動作による動画ぼやけの改善効果が薄れてしまうためである。なお、位相差φの値が１８０°から１２０°，６０°，０°へと減少するに従って、表示画面上の中央部での動画ぼやけの度合いは徐々に改善する一方、表示画面上の上端部および下端部での動画ぼやけの度合いは徐々に悪化している。
【００５２】
より詳細には、図１０（Ｂ）に示したように、位相差φの値が０°から１８０°へと増加するのに従って、表示画面上の中央部領域２Ｃでは、動画ぼやけの度合いが徐々に悪化していく（図中の符号Ｐ（２Ｃ）参照）。そして、特に位相差φ＝１５０°以上では急激に悪化し、位相差φ＝１８０°において、上記した比較例１の場合（図中の符号Ｐ０参照）と同等のレベルとなる。このことから、表示画面上の中央部領域２Ｃでは、位相差φ＝１５０°以下の場合に、特に大きな動画ぼやけの改善効果が得られることが分かる。
【００５３】
一方、表示画面上の上端部領域２Ｕおよび下端部領域２Ｄではそれぞれ、位相差φの値が０°から１８０°へと増加するのに従って、動画ぼやけの度合いが徐々に改善していく（図中の符号Ｐ（２Ｕ，２Ｄ）参照）。具体的には、位相差φ＝９０°において、比較例１の場合（図中の符号Ｐ０参照）と同等のレベルとなる。このことから、表示画面上の上端部領域２Ｕおよび下端部領域２Ｄではそれぞれ、位相差φ＝９０°以上の場合に、従来（比較例１）と比べて動画ぼやけの度合いが改善することが分かる。
【００５４】
そこで、本実施の形態では、この位相差φ（上部照射領域３０１におけるオン期間Ｔon（照射期間）と下部照射領域３０２におけるオン期間Ｔon（照射期間）との位相差）が、９０°以上かつ１５０°以下（９０°≦φ≦１５０°）となるように設定されている。これは、映像表示の際に最も重要な中央部領域２Ｃにおける動画ぼやけ改善を優先する（φ≦１５０°）と共に、それと比べて映像表示の際の重要度が劣る上端部領域２Ｕおよび下端部領域２Ｄではそれぞれ、ブリンキング動作がなされない比較例１と比べて動画ぼやけレベルを悪化させない（９０°≦φ）ためである。このようにして、本実施の形態では、位相差φが９０°以上かつ１５０°以下となっている（図１０（Ｂ）中の位相差範囲Δφ内に位相差φが収まっている）ため、表示画面全体（上端部、中央部および下端部のそれぞれ）において、動画ぼやけがバランス良く改善される。
【００５５】
一方、図１１は、上記したオンデューティ比Ｄｕｔｙと動画ぼやけの度合いとの関係の一例を表したものである。なお、図１１に示した動画ぼやけの度合いについても、複数人の観察者による主観評価実験での評価結果に基づいて得られたものである。
【００５６】
この図１１により、オンデューティ比Ｄｕｔｙの値が１００％から０％へと減少するのに従って、動画ぼやけの度合いが徐々に改善していることが分かる。また、特にオンデューティ比Ｄｕｔｙ＝７０％以下の場合に、動画ぼやけの度合いが急激に改善していることが分かる。このことから、本実施の形態では、バックライト３における上部照射領域３０１および下部照射領域３０２ではそれぞれ、オンデューティ比Ｄｕｔｙ（調光周期ＴＢＬ内におけるオン期間Ｔonの比率（Ｔon／ＴＢＬ））が、０％よりも大きく、かつ７０％以下となるように設定されているのが好ましいと言える。
【００５７】
以上のように本実施の形態では、バックライト駆動部５０において、液晶表示パネル２における表示領域のうちの上部表示領域内の各画素２０に対して線順次書き込み駆動を行っているときには、照射領域３０のうちの下部照射領域３０２から選択的に光が照射されるように点灯起動を行うと共に、液晶表示パネル２における表示領域のうちの下部表示領域内の各画素２０に対して線順次書き込み駆動を行っているときには、照射領域３０のうちの上部照射領域３０１から選択的に光が照射されるように点灯起動を行っているので、液晶素子２２における応答速度の遅さおよびホールド性の残像に起因した動画ぼやけをそれぞれ軽減することができる。また、バックライト３において、上部照射領域３０１におけるオン期間Ｔonと下部照射領域３０２におけるオン期間Ｔonとの位相差φが９０°以上かつ１５０°以下となっているようにしたので、表示画面全体において動画ぼやけをバランス良く改善することができる。よって、上部照射領域３０１と下部照射領域３０２との間に仕切りとなる部材等を設けるなどしてバックライト３の構造を複雑化させることなく（従来のバックライトの構造をそのまま用いつつ）、表示画面全体の動画特性を向上させることができ、低コスト化を図りつつ高画質化を実現することが可能となる。
【００５８】
なお、本実施の形態では、蛍光管（蛍光管３１，３２）を用いた直下型のバックライト３を例に挙げて説明したが、光源の種類はこれには限られず、例えばＬＥＤを用いた直下型のバックライトにおいても、本実施の形態と同様の効果を得ることが可能である。
【００５９】
＜変形例＞
続いて、上記実施の形態の変形例について説明する。なお、上記実施の形態における構成要素と同一のものには同一の符号を付し、適宜説明を省略する。
【００６０】
図１２（Ａ）は、変形例に係るバックライト（バックライト３Ａ）の概略構成を模式的に表したものであり、図１２（Ｂ）は、このバックライト３Ａの点灯動作（制御動作）をタイミング波形図で表したものである。
【００６１】
本変形例のバックライト３Ａは、図１２（Ａ）に示したように、照射領域３０を形成する導光板３３Ａと、２種類のＬＥＤ３１Ａ，３１Ｂとを含んで構成されている。具体的には、ＬＥＤ３１Ａ（上部光源）は、導光板３３Ａにおける上部照射領域３０１側のエッジ部分に配置され、ＬＥＤ３２Ａ（下部光源）は、導光板３３Ａにおける下部照射領域３０２側のエッジ部分に配置されている。すなわち、このバックライト３Ａは、いわゆる上下２辺のエッジライト型のバックライトとなっている。なお、この導光板３３Ａは単一構造のものであり（上下２分割等がなされていない）、また特殊加工等も施されておらず、従来と同様の構造となっている。
【００６２】
また、図１２（Ｂ）に示したように、本変形例においても、タイミング制御部４２およびバックライト駆動部５０は、ＬＥＤ３１Ａ，３２Ａへの制御信号Ｓ０ａ，Ｓ０ｂを用いて、上記実施の形態と同様にしてブリンキング動作を行っている。
【００６３】
このような構成の本変形例においても、上記実施の形態と同様の作用により同様の効果を得ることが可能である。すなわち、バックライト３Ａの構造を複雑化させることなく（従来のバックライトの構造をそのまま用いつつ）、表示画面全体の動画特性を向上させることができ、低コスト化を図りつつ高画質化を実現することが可能となる。
【００６４】
なお、本変形例では、ＬＥＤ（ＬＥＤ３１Ａ，３２Ａ）を用いた上下２辺のエッジライト型のバックライト３Ａを例に挙げて説明したが、光源の種類はこれには限られない。すなわち、例えば蛍光管を用いた上下２辺のエッジライト型のバックライトにおいても、本変形例と同様の効果を得ることが可能である。
【００６５】
（その他の変形例）
以上、実施の形態および変形例を挙げて本発明を説明したが、本発明はこれらの実施の形態等に限定されず、種々の変形が可能である。
【００６６】
例えば、上記実施の形態等において説明したタイミング制御部４２によるバックライト駆動部５０の制御動作は、ハードウェア（回路）で行われるようにしてもよいし、ソフトウェア（プログラム）で行われるようにしてもよい。
【符号の説明】
【００６７】
１…液晶表示装置、２…液晶表示パネル、２Ｕ…上端部領域、２Ｃ…中央部領域、２Ｄ…下端部領域、２０…画素、２１…ＴＦＴ素子、２２…液晶素子、２３…補助容量素子、３，３Ａ…バックライト、３０…照射領域、３０１…上部照射領域、３０２…下部照射領域、３１，３２…蛍光管、３１Ａ，３２Ａ…ＬＥＤ、３３Ａ…導光板、４１…画像処理部、４２…タイミング制御部、５０…バックライト駆動部、５０１…上部インバータ回路、５０２…下部インバータ回路、５１…データドライバ、５２…ゲートドライバ、Ｄin…入力映像信号、Ｄ…データ線、Ｇ…ゲート線、Ｃｓ…補助容量線、Ｓ０ａ，Ｓ０ｂ…制御信号、Ｓ１，Ｓ２…ランプ駆動信号、ＴＢＬ…調光周期、Ｔｆｒｍ…１フレーム期間、Ｔon…オン期間、Ｔoff…オフ期間、φ…位相差、Δφ…位相差範囲。
【図１】
2011145395.tif 000003
【図２】
2011145395.tif 000004
【図３】
2011145395.tif 000005
【図４】
2011145395.tif 000006
【図５】
2011145395.tif 000007
【図６】
2011145395.tif 000008
【図７】
2011145395.tif 000009
【図８】
2011145395.tif 000010
【図９】
2011145395.tif 000011
【図１０】
2011145395.tif 000012
【図１１】
2011145395.tif 000013
【図１２】
2011145395.tif 000014